(57)【特許請求の範囲】
【請求項１】
パネルと、
外周縁が当該外周縁の内側方向に丸められたカール部を有し、ユーザにより操作されるタブと、
前記タブと前記パネルとを接続する接続部と、
を備え、
前記タブのうちの前記接続部の周囲には、当該タブの厚み方向に貫通したＵ字状の貫通部が設けられ、当該タブのうちの当該貫通部の内側には舌片状部位が設けられ、
Ｕ字状の前記貫通部は、一端および他端を有し、
前記タブを正面から見た場合において、前記貫通部の前記一端および前記他端が、前記カール部まで達し、当該タブを正面から見た場合において、当該一端および当該他端が、当該カール部に位置し、さらに、前記舌片状部位の根元の幅の方が当該舌片状部位の長さよりも大きい缶蓋。
【請求項２】
前記接続部は、リベットにより構成され、
前記缶蓋を正面から眺めた場合において、前記貫通部の前記一端と前記他端とを結ぶ直線上に、前記リベットの頭部が位置する請求項１に記載の缶蓋。
【請求項３】
前記タブは、一端部がユーザによって持ち上げられ、他端部で前記パネルを押圧し、
前記タブがユーザにより操作される前の状態では、当該タブの前記他端部が前記パネルから離間している請求項１又は２に記載の缶蓋。
【請求項４】
前記タブのうちの、前記貫通部の前記一端と前記他端との間に位置する部分には、当該一端と当該他端とを結ぶ直線に沿う曲げ加工部又は溝が設けられている請求項１乃至３の何れかに記載の缶蓋。
【請求項５】
前記タブのうちの、前記貫通部の前記一端と前記他端との間に位置する部分の肉厚が、当該タブの他の部分の肉厚よりも小さい請求項１乃至４の何れかに記載の缶蓋。
【請求項６】
パネルと、
外周縁が当該外周縁の内側方向に丸められたカール部を有し、ユーザにより操作されるタブと、
前記タブと前記パネルとを接続する接続部と、
を備え、
前記タブのうちの前記接続部の周囲には、当該タブの厚み方向に貫通したＵ字状の貫通部が設けられ、
前記貫通部は、一端および他端を有し、
前記タブを正面から見た場合において、前記貫通部の前記一端および前記他端が、前記カール部まで達し、当該タブを正面から見た場合において、当該一端および当該他端が、当該カール部に位置する缶蓋。
【請求項７】
缶胴と、当該缶胴の開口を塞ぐ缶蓋と、を備え、当該缶蓋が請求項１乃至６の何れかに記載の缶蓋により構成された飲料缶。
【発明の詳細な説明】
【技術分野】
【０００１】
本発明は、缶蓋および飲料缶に関する。
【背景技術】
【０００２】
タブによってパネルの一部が押圧されることでスコア線にてパネルの破断が起こり、飲み口として機能する開口が形成される飲料缶が提案されている（例えば、特許文献１参照）。
【先行技術文献】
【特許文献】
【０００３】
【特許文献１】特開昭５１−８２１８８号公報
【発明の概要】
【発明が解決しようとする課題】
【０００４】
飲料缶の缶蓋にはタブが設けられていることが多く、飲み口となる開口が形成される際には、ユーザによりタブが操作される。タブが操作されると、タブから缶蓋へ荷重が作用して、缶蓋に開口が形成される。
本発明の目的は、タブに与えられた荷重が缶蓋に伝わりやすくすることにある。
【課題を解決するための手段】
【０００５】
本発明が適用される缶蓋は、パネルと、外周縁が当該外周縁の内側方向に丸められたカール部を有し、ユーザにより操作されるタブと、前記タブと前記パネルとを接続する接続部と、を備え、前記タブのうちの前記接続部の周囲には、当該タブの厚み方向に貫通したＵ字状の貫通部が設けられ、当該タブのうちの当該貫通部の内側には舌片状部位が設けられ、Ｕ字状の前記貫通部は、一端および他端を有するとともに、前記カール部まで達するように形成され、当該一端および当該他端が、当該カール部に位置し、さらに、前記舌片状部位の根元の幅の方が当該舌片状部位の長さよりも大きい缶蓋である。
ここで、前記接続部は、リベットにより構成され、前記缶蓋を正面から眺めた場合において、前記貫通部の前記一端と前記他端とを結ぶ直線上に、前記リベットの頭部が位置することを特徴とすることができる。
また、前記タブは、一端部がユーザによって持ち上げられ、他端部で前記パネルを押圧し、前記タブがユーザにより操作される前の状態では、当該タブの前記他端部が前記パネルから離間していることを特徴とすることができる。
また、前記タブのうちの、前記貫通部の前記一端と前記他端との間に位置する部分には、当該一端と当該他端とを結ぶ直線に沿う曲げ加工部又は溝が設けられていることを特徴とすることができる。
また、前記タブのうちの、前記貫通部の前記一端と前記他端との間に位置する部分の肉厚が、当該タブの他の部分の肉厚よりも小さいことを特徴とすることができる。
【０００６】
他の観点から捉えると、本発明が適用される缶蓋は、パネルと、ユーザにより操作されるタブと、前記タブと前記パネルとを接続する接続部と、を備え、前記タブのうちの前記接続部の周囲には、当該タブの厚み方向に貫通したＵ字状の貫通部が設けられ、当該タブのうちの当該貫通部の内側には舌片状部位が設けられ、前記舌片状部位の根元の幅の方が当該舌片状部位の長さよりも大きい缶蓋である。
さらに、他の観点から捉えると、本発明が適用される缶蓋は、パネルと、外周縁が当該外周縁の内側方向に丸められたカール部を有し、ユーザにより操作されるタブと、前記タブと前記パネルとを接続する接続部と、を備え、前記タブのうちの前記接続部の周囲には、当該タブの厚み方向に貫通したＵ字状の貫通部が設けられ、前記貫通部は、一端および他端を有するとともに、前記カール部まで達するように形成され、当該一端および当該他端が、当該カール部に位置する缶蓋である。
【０００７】
また、本発明を飲料缶として捉えた場合、本発明が適用される飲料缶は、缶胴と、当該缶胴の開口を塞ぐ缶蓋と、を備え、当該缶蓋が上記の何れかに記載の缶蓋により構成された飲料缶である。
【発明の効果】
【０００８】
本発明によれば、タブに与えられた荷重が缶蓋に伝わりやすくすることができる。
【図面の簡単な説明】
【０００９】
【図１】飲料缶の上面図である。
【図２】（Ａ）、（Ｂ）は、タブを説明する図である。
【図３】（Ａ）、（Ｂ）は、タブが取り付けられる前の缶蓋を説明する図である。
【図４】（Ａ）〜（Ｅ）は、タブが操作された際の飲料缶の状態を示した図である。
【図５】図４（Ｂ）にて示した状態の缶蓋の斜視図である。
【図６】図５の矢印ＶＩ方向からタブを眺めた場合の図である。
【図７】図５のＶＩＩ−ＶＩＩ線におけるタブの断面図である。
【図８】図５のＶＩＩＩ−ＶＩＩＩ線における缶蓋の断面図である。
【図９】缶蓋の比較例を示した図である。
【図１０】（Ａ）、（Ｂ）は、タブの他の構成例を示した図である。
【図１１】タブの他の構成例を示した図である。
【図１２】（Ａ）、（Ｂ）は、タブの他の構成例を示した図である。
【図１３】先端側部位がパネルに接触した時点でのタブの状態を示している。
【図１４】引き起こした後のタブの斜視図である。
【図１５】（Ａ）、（Ｂ）は、タブの戻し操作が行われた際のタブの動きを示した図である。
【図１６】図１５（Ｂ）の符号１５Ａで示す部分の拡大図である。
【図１７】タブが引き起こされる前の、先端側部位、後端側部位を示した図である。
【図１８】タブの他の構成例を示した図である。
【図１９】（Ａ）〜（Ｄ）は、タブの製造工程を示した図である。
【図２０】（Ａ）〜（Ｄ）は、タブの製造工程を示した図である。
【図２１】（Ａ）〜（Ｄ）は、タブの製造工程を示した図である。
【図２２】（Ａ）〜（Ｅ）は、タブの製造工程を示した図である。
【図２３】タブの正面図である。
【発明を実施するための形態】
【００１０】
以下、添付図面を参照して、本発明の実施の形態について詳細に説明する。
図１は、本実施の形態が適用される飲料缶１００の上面図である。
この飲料缶１００には、上部に開口（不図示）を有するとともに下部に底部（不図示）を有し且つ筒状に形成された容器本体（缶胴）２００が設けられている。また、容器本体２００の開口に取り付けられこの開口を塞ぐ缶蓋３００が設けられている。
飲料缶１００の内部には、清涼飲料、炭酸飲料、アルコール飲料などの飲料が収容されている。
【００１１】
缶蓋３００は、容器本体２００に取り付けられる円盤状のパネル（基板）４００を有する。パネル４００の表面（第１の面）には、操作者により操作されるタブ５００が取り付けられている。
タブ５００は、操作者によって一方の端部（図中、左端部）が操作されることで（持ち上げられることで）、パネル４００のうちの予め定められた箇所に対して他方の端部（先端部）を押し付け、パネル４００を押圧する。
なお、本明細書では、タブ５００の図中左端部を被操作部５０５と称し、タブ５００の図中右端部を先端部５１０と称する。
【００１２】
タブ５００は、パネル４００の中央部からずれた位置に設けられたリベット９００によってパネル４００に固定されている。言い換えると、タブ５００は、パネル４００に対して偏心した状態で設けられたリベット９００によってパネル４００に固定されている。
さらに、タブ５００は、被操作部５０５と先端部５１０との間に位置する部位がリベット９００によってパネル４００に固定されている。言い換えると、本実施形態では、接続部の一例としてのリベット９００によって、タブ５００とパネル４００とが接続されている。
【００１３】
なお、タブ５００は、パネル４００の中央部に設けられたリベット９００によってパネル４００に固定してもよい。
また、本実施形態では、先端部５１０が円弧状に形成されたタブ５００を例示するが、タブ５００は、矩形状に形成することもでき、この場合は、タブ５００の先端部５１０が直線状となる。
【００１４】
図２（Ａ）、（Ｂ）は、タブ５００を説明する図である。なお、図２（Ａ）は、タブ５００の正面図であり、図２（Ｂ）は、図２（Ａ）の矢印ＩＩＢ方向からタブ５００を眺めた場合の図である。
図２（Ａ）に示すように、タブ５００には、板状に形成され且つ略矩形状に形成されたタブ本体部５２０が設けられている。また、タブ５００は、図２（Ｂ）に示すように、パネル４００（図１参照）に対向するパネル対向面５００Ｂ、および、パネル対向面５００Ｂとは反対側に位置する反対面５００Ａを有する。
【００１５】
本実施形態では、タブ本体部５２０の外周縁に対し、曲げ加工（カール加工）が施され、タブ本体部５２０の外周縁が、外周縁の内側方向に丸められている（カールしている）。
付言すると、タブ５００の外周縁には、カール部５００Ｃが設けられている。これにより、本実施形態では、タブ５００の曲げ剛性が高められている。
【００１６】
さらに、タブ５００には、図２（Ａ）に示すように、被操作部５０５側に、操作者の指が引っ掛けられる貫通孔（フィンガーホール）５３０が形成されている。
また、タブ５００には、パネル４００に設けられた突出部４２０（後述）が通されるリベット用孔５４０が設けられている。
また、タブ５００には、タブ本体部５２０を貫通するＵ字状の貫通部（タンピアス）５６０が設けられている。貫通部５６０は、タブ５００の厚み方向に貫通している。また、貫通部５６０は、リベット用孔５４０の周囲に形成されている。
【００１７】
さらに、貫通部５６０は、一端５６０Ａおよび他端５６０Ｂを有し、また、タブ５００の被操作部５０５側に向かって膨らむように形成されている。
また、貫通部５６０は、一端５６０Ａと他端５６０Ｂとの間に、頂部５６０Ｃを有する。この頂部５６０Ｃは、一端５６０Ａおよび他端５６０Ｂよりも被操作部５０５側に位置する。
また、本実施形態では、リベット用孔５４０の一方の脇に、貫通部５６０の一端５６０Ａが位置し、リベット用孔５４０の他方の脇に、貫通部５６０の他端５６０Ｂが位置する。さらに、頂部５６０Ｃは、リベット用孔５４０と被操作部５０５との間に位置する。
【００１８】
ここで、貫通部５６０の一端５６０Ａと他端５６０Ｂとを結ぶ直線ＳＬ１を想定する。
また、直線ＳＬ１に対する垂線であって頂部５６０Ｃを通る垂線ＳＬ２を想定する。
本実施形態では、垂線ＳＬ２のうちの、頂部５６０Ｃと直線ＳＬ１との間に位置する部分（符号２Ａで示す部分）の長さＬ２の方が、直線ＳＬ１の長さＬ１よりも小さい。
さらに、本実施形態では、図１に示すように、貫通部５６０の一端５６０Ａと他端５６０Ｂとを結ぶ上記直線ＳＬ１が、リベット９００の頭部９１０を通るように、貫通部５６０およびリベット９００が設けられている。
【００１９】
また、本実施形態では、図２（Ａ）に示すように、貫通部５６０は、カール部５００Ｃまで達するように形成され、貫通部５６０の一端５６０Ａおよび他端５６０Ｂは、カール部５００Ｃに位置する。言い換えると、貫通部５６０の一端５６０Ａおよび他端５６０Ｂは、タブ５００の外周縁に位置する。
この結果、本実施形態では、タブ５００のうちの、貫通部５６０とタブ５００の先端部５１０との間に位置する部位（斜線で示す部位、パネル４００に固定される部位）が略楕円状となる。以下、本明細書では、この部位を固定部位５０Ｅと称する。
【００２０】
本実施形態では、タブ５００の外周縁にカール部５００Ｃが設けられているが、このカール部５００Ｃは、図２（Ａ）に示すように、第１カール部Ｃ１〜第４カール部Ｃ４の４つのカール部により構成されている。
第１カール部Ｃ１は、タブ５００の一方の側辺に沿うように設けられている。第２カール部Ｃ２は、タブ５００の他方の側辺に沿うように設けられている。第３カール部Ｃ３は、タブ５００の被操作部５０５の部分に設けられている。第４カール部Ｃ４は、タブ５００の先端部５１０に設けられている。
【００２１】
さらに、本実施形態では、第１カール部Ｃ１にスリット５０Ｌ１（以下「第１スリット５０Ｌ１」と称する）が設けられ、第２カール部Ｃ２にスリット５０Ｌ２（以下、「第２スリット５０Ｌ２」と称する）が設けられている。
第１スリット５０Ｌ１、第２スリット５０Ｌ２の各々は、タブ５００の幅方向（タブ５００の長手方向と直交する方向）に沿うように形成され、また、同一の直線（不図示）上に載るように形成されている。
さらに、タブ本体部５２０のうち、第１スリット５０Ｌ１と第２スリット５０Ｌ２との間に位置する部分には、溝５０Ｍが設けられている。溝５０Ｍは、第１スリット５０Ｌ１と第２スリット５０Ｌ２とを結ぶ直線（不図示）上に形成されている。
【００２２】
さらに、本実施形態では、第１スリット５０Ｌ１、第２スリット５０Ｌ２、溝５０Ｍによって、タブ５００が、先端側部位５０Ａと後端側部位５０Ｂとに区画されている。
第１の部位の一例としての先端側部位５０Ａは、第１スリット５０Ｌ１、第２スリット５０Ｌ２、溝５０Ｍよりも、タブ５００の先端部５１０側に位置する。
第２の部位の一例としての後端側部位５０Ｂは、第１スリット５０Ｌ１、第２スリット５０Ｌ２、溝５０Ｍよりも、タブ５００の被操作部５０５側に位置する。
本実施形態では、後端側部位５０Ｂが先端側部位５０Ａに対して回転できるようになっている（詳細は後述）。
【００２３】
図３（Ａ）、（Ｂ）は、タブ５００が取り付けられる前の缶蓋３００を説明する図である。なお、同図（Ａ）は、正面図であり、同図（Ｂ）は、同図（Ａ）のＩＩＩＢ−ＩＩＩＢ線における断面図の一部である。
【００２４】
図３（Ａ）に示すように、缶蓋３００には、円盤状に形成されたパネル４００が設けられている。パネル４００は、曲げ加工が施された外周縁４１０を有する。
本実施形態では、この外周縁４１０の部分が、容器本体２００（図１参照）の上縁部に固定される。
【００２５】
さらに、缶蓋３００には、タブ５００がパネル４００に固定される際に押しつぶされ、上述したリベット９００（図１参照）となる突出部（ニップル）４２０が形成されている。
本実施形態では、この突出部４２０が、タブ５００のリベット用孔５４０（図２（Ａ）参照）に挿入されたうえで、突出部（ニップル）４２０が押し潰される。
これにより、本実施形態では、図１に示すように、リベット用孔５４０の径よりも径が大きい頭部９１０（リベット９００の頭部９１０）（円形の部位）が形成され、この頭部９１０とパネル４００との間にタブ５００が位置し、パネル４００に対するタブ５００の固定が行われる。
【００２６】
また、図３（Ａ）に示すように、パネル４００の表面には、第１スコア線４３０が形成されている。
第１スコア線４３０は、パネル４００の表面に形成された溝により構成され、パネル４００の破断（後述）を誘導する役割を果たす。
第１スコア線４３０には、Ｕ字状に形成されたＵ字状部４３０Ａと、このＵ字状部４３０Ａに接続された直線部４３０Ｂとが設けられている。
【００２７】
Ｕ字状部４３０Ａは、パネル４００の中心部ＣＰ側からパネル４００の外周縁４１０側に向かって膨らむように形成され、パネル４００を正面から眺めた場合の形状がＵ字状となっている。さらに、Ｕ字状部４３０Ａは、パネル４００の中心部ＣＰ側に一端部４３１および他端部４３２を有し、パネル４００の外周縁４１０側に頂部４３３Ａを有する。
【００２８】
直線部４３０Ｂは、Ｕ字状部４３０Ａの一端部４３１に接続され、さらに、一端部４３１との接続部を始点として、Ｕ字状部４３０Ａの他端部４３２に向かって延びる。
さらに、直線部４３０Ｂは、図中下側に位置し一端部４３１に接続された下端部４９１と、図中上側に位置し他端部４３２の近くに配置された上端部４９２とを有する。
【００２９】
Ｕ字状部４３０Ａの一端部４３１は、タブ５００の中心線ＣＬ（タブ５００の長手方向に沿った中心線）（図２（Ａ）も参照）を挟んで相対する二つの領域のうちの一方の領域（図中、下側の領域）側に配置されている。
他端部４３２は、中心線ＣＬを挟んで相対する二つの領域のうちの他方の領域（図中、上側の領域）側に配置されている。
【００３０】
さらに、本実施形態では、直線部４３０Ｂの上端部４９２と、Ｕ字状部４３０Ａの他端部４３２とが、互いに離れた状態で設けられており、これにより、上端部４９２と他端部４３２との間に、第１スコア線４３０が形成されていない不連続部４８０が設けられている。
【００３１】
また、本実施形態では、上記中心線ＣＬと直交する仮想線であって突出部４２０（リベット９００）を通る仮想線（以下、この仮想線を「リベットラインＲＬ」と称する）を想定した場合に、上記一端部４３１および他端部４３２は、このリベットラインＲＬよりもパネル４００の中心部ＣＰ側に位置する。
また、本実施形態では、図３（Ａ）に示すように、中心線ＣＬと直交する仮想線ＫＬであってパネル４００の中心部ＣＰを通る仮想線ＫＬを挟んで相対する２つの領域のうちの一方の領域内に頂部４３３Ａが位置し、他方の領域内に一端部４３１および他端部４３２が位置する。
【００３２】
さらに、リベット９００となる突出部４２０は、パネル４００のうちの第１スコア線４３０により囲まれている部位に設けられている。
また、Ｕ字状部４３０Ａには、図３（Ａ）に示すように湾曲部４３３が設けられている。この湾曲部４３３は、パネル４００の外周縁４１０側に膨らみ、また、突出部４２０よりもパネル４００の外周縁４１０側を通る。
【００３３】
本実施形態では、操作者によりタブ５００が操作されることで、第１スコア線４３０により囲まれた領域がタブ５００により押圧され、第１スコア線４３０が形成されている箇所にてパネル４００が破断する（詳細は後述）。
これにより、第１スコア線４３０が形成されている領域が舌片状となり、且つ、この領域が飲料缶１００の内部に向かって折れ曲がる。これにより、飲料缶１００に、飲み口としての役割を果たす開口が形成される。
なお、本明細書では、以下、第１スコア線４３０にて生じる破断により形成される上記舌片状の部位をパネル舌片部４４０と称する。
【００３４】
図３（Ａ）に示すように、パネル４００の表面には、第２スコア線４５０が形成されている。この第２スコア線４５０も、パネル４００の表面に形成された溝により構成されており、パネル４００の破断を誘導する役割を果たす。
第２スコア線４５０は、リベットラインＲＬを挟み相対する２つの領域のうちの、頂部４３３Ａが設けられている領域内に設けられている。
【００３５】
第２スコア線４５０は、一端部４５１および他端部４５２を有する。
第２スコア線４５０の他端部４５２は、第１スコア線４３０に設けられた湾曲部４３３に接続されている。このため、本実施形態では、第１スコア線４３０と第２スコア線４５０とが接続する箇所にて、スコア線が分岐する。
【００３６】
第２スコア線４５０の他端部４５２は、第１スコア線４３０の湾曲部４３３のうちの中心線ＣＬとリベットラインＲＬとの間に位置する部位に対して接続されている。
付言すると、第２スコア線４５０の他端部４５２は、第１スコア線４３０のうちの頂部４３３Ａと他端部４３２との間に位置する部位に接続されている。
【００３７】
また、第２スコア線４５０は、第１スコア線４３０との接続部から、第１スコア線４３０により囲まれている領域内に向かうように設けられている。
また、本実施形態では、中心線ＣＬと直交する関係で配置されたリベットラインＲＬよりも頂部４３３Ａが設けられている側に、第１スコア線４３０と第２スコア線４５０との接続部が位置する。
【００３８】
また、本実施形態では、リベットラインＲＬよりも領域ＲＡが位置する側に、第１スコア線４３０と第２スコア線４５０との接続部が設けられている。
付言すると、本実施形態では、領域ＲＡの部分が、タブ５００の先端部５１０（図１参照）によって押圧されるが、本実施形態では、押圧されるこの領域ＲＡとリベットラインＲＬとの間に、第２スコア線４５０が設けられている。
【００３９】
さらに、第２スコア線４５０の一端部４５１は、突出部４２０の近傍に設けられている。
また、第２スコア線４５０の一端部４５１は、中心線ＣＬを挟んで相対する２つの領域のうちの一方の領域側に配置され、第２スコア線４５０の他端部４５２は、この２つの領域のうちの他方の領域側に配置されている。
【００４０】
さらに、第２スコア線４５０は、他端部４５２から突出部４２０に向かう直線部４５３を有する。また、第２スコア線４５０は、湾曲部４５４を有する。
湾曲部４５４は、直線部４５３に接続されるとともに、円柱状に形成された突出部４２０との間に距離を有して配置されている。また、湾曲部４５４は、突出部４２０の外周縁に沿うように形成されている。また、湾曲部４５４は、頂部４３３Ａと突出部４２０との間に形成されている。さらに、湾曲部４５４は、パネル４００のうちのタブ５００により押圧される領域ＲＡと突出部４２０との間を通過するように設けられている。
【００４１】
本実施形態では、タブ５００がユーザにより操作され、領域ＲＡの部分がタブ５００の先端部５１０によって押圧されると、第２スコア線４５０のうちの、領域ＲＡとリベット９００（突出部４２０）との間に位置する部分にて、パネル４００の破断が生じる。
【００４２】
その後、第２スコア線４５０に沿ってのパネル４００の破断が生じ、第１スコア線４３０と第２スコア線４５０との接続部まで、パネル４００の破断が生じる。
その後、この接続部から、第１スコア線４３０の他端部４３２に向かうパネル４００の破断と、第１スコア線４３０の上端部４９２に向かうパネル４００の破断が生じる。
【００４３】
図４（Ａ）〜（Ｅ）は、タブ５００が操作された際の飲料缶１００の状態を示した図である。なお、図４では、図中上段に、飲料缶１００を上方から眺めた場合の図を示し、図中下段に、缶蓋３００の中央部における断面図を示している。
【００４４】
図４（Ａ）は、タブ５００を引き起こす前の飲料缶１００の状態を示している。
図４（Ｂ）は、タブ５００の引き起こしを開始した直後の、飲料缶１００の状態を示している。この状態では、第２スコア線４５０にてパネル４００の破断が生じ、さらに、第１スコア線４３０の一部にて、パネル４００の破断が生じている。
【００４５】
図５は、図４（Ｂ）にて示した状態の缶蓋３００の斜視図である。なお、この図５では、パネル舌片部４４０の図示を省略している。
タブ５００が引き起こされると、図５に示すように、先端側部位５０Ａ（先端部５１０）がパネル４００に押し当てられ、また、後端側部位５０Ｂ（被操作部５０５）が上方へ移動する（パネル４００から離れる方向へ移動する）。
これにより、本実施形態では、楕円状の固定部位５０Ｅの両脇の部分（符号５Ａで示す部分）が上方へ持ち上げられる。
【００４６】
これにより、固定部位５０Ｅは湾曲する。
具体的には、固定部位５０Ｅは、パネル４００側に向かって凸となるように湾曲する。さらに説明すると、固定部位５０Ｅが湾曲することにより固定部位５０Ｅに谷が形成されるが、この谷が、タブ５００の長手方向に沿うように固定部位５０Ｅが湾曲する。
そして、本実施形態では、固定部位５０Ｅが湾曲すると、固定部位５０Ｅの曲げ剛性が高まる。
【００４７】
図４を再度参照する。
図４（Ｃ）は、タブ５００の引き起こしが更に行われた後の状態を示している。
この状態では、第１スコア線４３０にてパネル４００の破断がさらに生じる。さらに、この状態では、不連続部４８０（図３（Ａ）参照）において、パネル４００の曲げが開始されている。言い換えると、パネル舌片部４４０の根元におけるパネル舌片部４４０の曲げが開始されている。
【００４８】
図４（Ｄ）は、タブ５００の引き起こしが更に行われた状態を示している。
この状態では、パネル舌片部４４０の曲げが更に行われており、飲料缶１００の内部側に、パネル舌片部４４０が押し込まれている。
また、この状態では、パネル４００に形成された開口に、タブ５００の先端側部位５０Ａが入り込んでいる。
【００４９】
ところで、本実施形態の構成では、上記のとおり固定部位５０Ｅが湾曲するが、これに対し、固定部位５０Ｅが湾曲しない構成の場合には、缶蓋３００に形成される開口が小さくなるおそれがある。
【００５０】
本実施形態の構成では、上記のとおり、タブ５００が引き起こされると、固定部位５０Ｅの曲げ剛性が高まる。
これにより、固定部位５０Ｅが曲がりにくくなり、パネル舌片部４４０に対し、図４（Ｃ）の矢印４Ｃで示す回転モーメントが作用しやすくなる。これにより、パネル舌片部４４０が、飲料缶１００（図１参照）の内部へ入りやすくなり、形成される開口がより大きなものとなる。
【００５１】
これに対し、固定部位５０Ｅが湾曲せず固定部位５０Ｅの曲げ剛性が高まらない構成では、固定部位５０Ｅの途中で、タブ５００が曲がりやすくなり、この場合、リベット９００を中心としたタブ５００の回転が起こりやすくなる。
より具体的には、例えば、図５の符号５Ｃで示す直線の部分で、固定部位５０Ｅが曲がりやすくなり、タブ５００は、符号５Ｃで示すこの直線を回転中心として回転しやすくなる。この場合、パネル舌片部４４０に対し回転モーメントが作用しにくくなり、形成される開口が小さくなりやすい。
【００５２】
図４（Ｄ）で示す状態の後、本実施形態では、ユーザによって、タブ５００が戻される方向（図４（Ｄ）の矢印４Ｄに示す方向）へ、タブ５００の後端側部位５０Ｂが押圧される。これにより、後端側部位５０Ｂが回転し（後端側部位５０Ｂが先端側部位５０Ａに対して回転し）、図４（Ｅ）に示すように、後端側部位５０Ｂがパネル４００に沿うようになる。
【００５３】
図６は、図５の矢印ＶＩ方向からタブ５００を眺めた場合の図である。
図６に示すように、また、上記のとおり、固定部位５０Ｅは、パネル４００（図６では不図示）側に向かって凸となるように湾曲する。
より具体的には、固定部位５０Ｅが湾曲することにより形成される谷が、タブ５００の長手方向に沿うように固定部位５０Ｅが湾曲する。
【００５４】
言い換えると、固定部位５０Ｅのうちのリベット用孔５４０が設けられている部分と、固定部位５０Ｅの幅方向における一端５０Ｅ１との間に位置する部分は、リベット用孔５４０からこの一端５０Ｅ１に向かうに従いパネル４００から離れるように湾曲する。
同様に、リベット用孔５４０が設けられている部分と固定部位５０Ｅの他端５０Ｅ２との間に位置する部分は、リベット用孔５４０からこの他端５０Ｅ２に向かうに従いパネル４００から離れるように湾曲する。
【００５５】
図７は、図５のＶＩＩ−ＶＩＩ線におけるタブ５００の断面図である。
本実施形態では、貫通部５６０がカール部５００Ｃまで達し、図７に示すように、カール部５００Ｃに、貫通部５６０の一端５６０Ａおよび他端５６０Ｂが位置する。
これにより、貫通部５６０の一端５６０Ａと他端５６０Ｂとの離間距離が大きくなり、固定部位５０Ｅの幅寸法が大きくなる。このように固定部位５０Ｅの幅寸法が大きいと、幅寸法が小さい場合に比べ、固定部位５０Ｅが湾曲しやすく、固定部位５０Ｅの曲げ剛性が高まりやすい。
【００５６】
さらに、本実施形態のタブ５００を他の観点から説明すると、図２３（タブ５００の正面図）に示すように、本実施形態のタブ５００では、貫通部５６０の内側に、舌片状部位５８０（図中、斜線で示している部位）が設けられている。
【００５７】
そして、本実施形態では、舌片状部位５８０の根元５８０Ａの幅Ｗの方が、舌片状部位５８０の長さ（舌片状部位５８０の根元５８０Ａから先端５８０Ｂまでの距離Ｌ）よりも大きくなっている。このように、舌片状部位５８０の根元５８０Ａの幅Ｗの方が舌片状部位５８０の長さよりも大きいと、舌片状部位５８０の根元５８０Ａの幅Ｗの方が舌片状部位５８０の長さよりも小さい場合に比べ、固定部位５０Ｅが上記のように湾曲しやすく、固定部位５０Ｅの曲げ剛性が高まりやすい。
【００５８】
本実施形態では、タブ５００を引き起こすことにより、まず、リベット９００を支点としてタブ５００が回転し、先端側部位５０Ａが、パネル４００に向かって移動する。これにより、予め定められた領域ＲＡ（図３（Ａ）参照）が押圧され、第２スコア線４５０、第１スコア線４３０にてパネル４００の破断が生じる。
パネル４００の破断が生じると、パネル舌片部４４０が生じ、さらに、このパネル舌片部４４０が、タブ５００により、飲料缶１００の内部へ押し込まれる。これにより、缶蓋３００に開口が形成される。
【００５９】
パネル舌片部４４０が飲料缶１００の内部へ押し込まれる際、本実施形態では、固定部位５０Ｅ（図７参照）のうちのリベット９００に接触している部分が、下方向に（パネル４００側に）引っ張られる。
その一方で、固定部位５０Ｅの幅方向における両端部（一端５０Ｅ１、他端５０Ｅ２）が、図７の矢印７Ａで示すように、上方へ引っ張られる。
【００６０】
これにより、図７に示すように、固定部位５０Ｅがパネル４００側に向かって凸となるように湾曲し、固定部位５０Ｅの曲げ剛性が高まる。
そして、この場合、上記のように、パネル舌片部４４０に対して回転モーメントが作用しやすくなり、パネル舌片部４４０の全体が飲料缶１００の内部へ移動する。
【００６１】
図８は、図５のＶＩＩＩ−ＶＩＩＩ線における缶蓋３００の断面図である。なお、この図８では、パネル舌片部４４０の図示を省略している。
タブ５００が操作され、固定部位５０Ｅに湾曲が生じると、固定部位５０Ｅの幅方向における両端部（一端５０Ｅ１、他端５０Ｅ２）が、図８の矢印８Ａに示すように、上方へ引っ張られる。これにより、固定部位５０Ｅが湾曲する。
そして、この場合、矢印８Ｂで示す方向に作用する曲げ応力に対する、固定部位５０Ｅの剛性が増す。そして、この場合、パネル舌片部４４０に対して曲げモーメントが作用しやすくなる。
【００６２】
本実施形態では、タブ５００の引き起こし量が大きくなるに従い、固定部位５０Ｅの湾曲量が大きくなる。この場合、固定部位５０Ｅの曲げ剛性も次第に大きくなる。
ここで、固定部位５０Ｅの曲げ剛性が次第に大きくなる場合、固定部位５０Ｅの曲げ剛性が当初から大きい場合に比べて、タブ５００の操作を行いやすくなる。
具体的には、タブ５００の引き起こしの際にタブ５００とパネル４００との間に指を入れやすくなり、タブ５００を最初に操作する際のタブ５００の操作性が向上する。
【００６３】
図９は、缶蓋３００の比較例を示した図である。
図９に示す比較例では、貫通部５６０は、リベット９００の近傍に位置し、カール部５００Ｃまで達していない。
ここで、この比較例でも、貫通部５６０の一端５６０Ａと他端５６０Ｂとを結ぶ直線ＳＬ１を想定する。また、この直線ＳＬ１に対する垂線であって頂部５６０Ｃを通る垂線ＳＬ２を想定する。この比較例では、垂線ＳＬ２のうちの、頂部５６０Ｃと直線ＳＬ１との間に位置する部分の長さＬ２の方が、直線ＳＬ１の長さＬ１よりも大きい。
さらに説明すると、この比較例では、舌片状部位５８０の根元の幅の方が、舌片状部位５８０の長さよりも小さくなっている。
この場合、本実施形態の構成に比べ、固定部位５０Ｅの湾曲が生じにくく、固定部位５０Ｅの曲げ剛性が高まりにくい。
【００６４】
さらに、この比較例では、貫通部５６０の一端５６０Ａと他端５６０Ｂとを結ぶ直線ＳＬ１が、リベット９００の頭部９１０を通らず、リベット９００の頭部９１０を外れた箇所を通る。言い換えると、この比較例では、リベット９００の頭部９１０よりもタブ５００の先端部５１０側を、直線ＳＬ１が通る。この場合、固定部位５０Ｅに湾曲がさらに生じにくくなる。
【００６５】
本実施形態の構成では、図５に示すように、貫通部５６０の一端５６０Ａと他端５６０Ｂとを結ぶ直線ＳＬ１が、リベット９００の頭部９１０を通る。付言すると、本実施形態では、リベット９００の頭部９１０を挟み、貫通部５６０の一端５６０Ａとは反側側に、貫通部５６０の他端５６０Ｂが位置する。
この場合、直線ＳＬ１がリベット９００の頭部９１０を通らない場合に比べ、固定部位５０Ｅが湾曲しやすくなり、固定部位５０Ｅの曲げ剛性が高まる。
【００６６】
なお、固定部位５０Ｅの曲げ剛性をさらに高めるため、図１０（タブ５００の他の構成例を示した図）の（Ａ）、（Ｂ）に示すように、固定部位５０Ｅの外周縁５０Ｅ３に曲げ加工を施し、折り曲げ部５０Ｅ４を形成するようにしてもよい。なお、図１０（Ａ）は、タブ５００の正面図であり、図１０（Ｂ）は、図１０（Ａ）のＸＢ−ＸＢ線におけるタブ５００の断面図である。
【００６７】
図１０に示す構成例では、図１０（Ａ）、（Ｂ）に示すように、固定部位５０Ｅの外周縁５０Ｅ３の一部（固定部位５０Ｅのうちの貫通部５６０に臨む部分の一部）に対して折り曲げ加工を施し、固定部位５０Ｅの外周縁５０Ｅ３に、折り曲げ部５０Ｅ４を形成している。
【００６８】
ここで、本実施形態では、固定部位５０Ｅの外周縁５０Ｅ３が上側に変位するように折り曲げ加工が行われている。付言すると、図中破線１０Ａで示す線の部分が谷となるように、折り曲げ加工が行われている。さらに、本実施形態では、固定部位５０Ｅの外周縁５０Ｅ３のうち、タブ５００の中心線ＣＬ上に位置する部位を除いた部位に対して、折り曲げ加工を行っている。
【００６９】
さらに説明すると、本実施形態では、貫通部５６０に臨む部位のうち、少なくとも、固定部位５０Ｅの幅方向における両端部（一端５０Ｅ１、他端５０Ｅ２）に位置する部位に対して、折り曲げ加工を行っている。
このように折り曲げ加工を行うと、固定部位５０Ｅの曲げ剛性がさらに高まる。
なお、この例では、折り曲げ加工を行う場合を一例に説明したが、カール加工を行って、固定部位５０Ｅの曲げ剛性を高めてもよい。
【００７０】
図１１は、タブ５００の他の構成例を示した図である。
この構成例では、タブ５００のうちの、貫通部５６０の一端５６０Ａと他端５６０Ｂとの間に位置する部分に、溝５００Ｍが形成されている。この溝５００Ｍは、一端５６０Ａと他端５６０Ｂとを結ぶ直線（不図示）に沿うように形成されている。
本実施形態では、貫通部５６０の一端５６０Ａと他端５６０Ｂとの離間距離が大きくなり、離間距離が小さい場合に比べ、タブ５００（の固定部位５０Ｅ）が曲がりにくくなる。
この場合、タブ５００とパネル４００との間にユーザが指を入れる際の操作性が低下しやすい。
【００７１】
通常、タブ５００とパネル４００との間にユーザの指が入れられる際、固定部位５０Ｅのうちの一端５６０Ａと他端５６０Ｂとの間に位置する部分にて、固定部位５０Ｅが屈曲する。より具体的には、一端５６０Ａと他端５６０Ｂとの間に位置する部分（溝５００Ｍが形成されている部分）が山の稜線となるように、固定部位５０Ｅが山型に屈曲する。
【００７２】
この場合に、貫通部５６０の一端５６０Ａと他端５６０Ｂとの離間距離が大きいと、この屈曲が生じにくくなり、タブ５００とパネル４００との間に指を入れにくくなる。
これに対し、本実施形態のように、溝５００Ｍが形成されていると、屈曲が生じやすくなり、タブ５００とパネル４００との間に指を入れやすくなる。
【００７３】
なお、図１１にて示した構成例では、溝５００Ｍを形成したが、タブ５００のうちの、貫通部５６０の一端５６０Ａと他端５６０Ｂとの間に位置する部分の肉厚を、タブ５００の他の部分の肉厚よりも小さくして、屈曲を生じやすくしてもよい。
また、上記では、連続した１本の溝５００Ｍを形成した場合を説明したが、必ずしも連続していなくてもよく、破線状に溝を形成してもよい。
【００７４】
図１２（Ａ）、（Ｂ）は、タブ５００の他の構成例を示した図である。なお、図１２（Ａ）は、下方からタブ５００を眺めた場合の斜視図であり、図１２（Ｂ）は、タブ５００の長手方向に沿った面におけるタブ５００の断面図である。
【００７５】
この構成例では、図１２（Ａ）に示すように、タブ５００のうちの、貫通部５６０の一端５６０Ａと他端５６０Ｂとの間に位置する部分に、曲げ加工部５００Ｋが設けられている。曲げ加工部５００Ｋは、一端５６０Ａと他端５６０Ｂとを結ぶ直線（不図示）に沿うように形成されている。また、曲げ加工部５００Ｋは、図１２（Ｂ）に示すように、断面形状がＺ形状となっている。
【００７６】
この構成例では、曲げ加工部５００Ｋが設けられる結果、固定部位５０Ｅに段部が形成され、固定部位５０Ｅの一部がパネル４００側に近づく。
これにより、図１２（Ｂ）に示すように、タブ５００の先端部５１０とパネル４００（図１２（Ｂ）では不図示）との間には隙間αが形成される。
この場合、ユーザが、タブ５００の後端側部位５０Ｂとパネル４００との間に指を入れる際、後端側部位５０Ｂがパネル４００から離れる方向へ移動しやすく、後端側部位５０Ｂとパネル４００との間に指を入れやすくなる。
【００７７】
図１３は、先端側部位５０Ａがパネル４００に接触した時点でのタブ５００の状態を示している。
タブ５００が引き起こされると、曲げ加工部５００Ｋの部分でタブ５００が屈曲し、先端側部位５０Ａがパネル４００（図１３では不図示）に接触する。
その後、本実施形態では、タブ５００の引き起こしが更に行われる。タブ５００の引き起こしが更に行われると、第２スコア線４５０（図３参照）、および、第１スコア線４３０の一部にてパネル４００の破断が生じて、パネル４００に開口が形成される。
【００７８】
その後、タブ５００の引き起こしが更に行われ、図５と同様に、固定部位５０Ｅが湾曲し、固定部位５０Ｅが湾曲した状態のタブ５００によって、パネル舌片部４４０が押圧される。これにより、パネル舌片部４４０が飲料缶１００の内部へ移動し、缶蓋３００に開口が形成される。
【００７９】
次に、先端側部位５０Ａに対する後端側部位５０Ｂの回転について説明する。
本実施形態では、タブ５００が完全に引き起こされ、開口が形成されると、タブ５００は、図１４（引き起こした後のタブ５００の斜視図）に示すように、起立した状態となる。
具体的には、先端側部位５０Ａが、飲料缶１００（図１４では不図示）の内部に入り、後端側部位５０Ｂが、飲料缶１００の外部に且つ先端側部位５０Ａよりも上方に位置する状態となる。
【００８０】
その後、本実施形態では、図１５（タブ５００の戻し操作が行われた際のタブ５００の動きを示した図）の（Ａ）に示すように、ユーザによって後端側部位５０Ｂが押圧される。これにより、図１５（Ｂ）、図４（Ｅ）に示すように、後端側部位５０Ｂがパネル４００に沿うようになる。
【００８１】
図１４のように、タブ５００が起立すると、タブ５００の一部がパネル４００（図１４では不図示）から突出した状態となり、飲料缶１００の内部の飲料を飲みにくくなる。
これに対し、本実施形態では、後端側部位５０Ｂがパネル４００に沿うようになり、飲料缶１００の内部の飲料を飲みやすくなる。
【００８２】
図１６は、図１５（Ｂ）の符号１５Ａで示す部分の拡大図である。
図１６に示すように、本実施形態では、先端側部位５０Ａの角部５０Ｆ、後端側部位５０Ｂの角部５０Ｇに面取りを行い、これらの角部５０Ｆ，５０Ｇに、面取り部５０Ｈを設けている。
【００８３】
図１７は、タブ５００が引き起こされる前の、先端側部位５０Ａ、後端側部位５０Ｂを示した図である。
本実施形態では、図１７に示すように、先端側部位５０Ａのうちの、パネル対向面５００Ｂ側且つ後端側部位５０Ｂ側に位置する角部５０Ｆ、および、後端側部位５０Ｂのうちの、パネル対向面５００Ｂ側且つ先端側部位５０Ａ側に位置する角部５０Ｇの双方に対して面取りを行い、これらの角部５０Ｆ，５０Ｇに、面取り部５０Ｈを設けている。
これにより、本実施形態では、先端側部位５０Ａに対して後端側部位５０Ｂを回転させる際の両者の引っ掛かりが減り、後端側部位５０Ｂを回転させやすくなる。
【００８４】
本実施形態では、図１７にて示す回転支点１７Ａを中心に後端側部位５０Ｂが回転する。より具体的には、後端側部位５０Ｂと先端側部位５０Ａとが接続している箇所を中心に後端側部位５０Ｂが回転する。
本実施形態では、パネル対向面５００Ｂ側に回転支点１７Ａが設けられ、この回転支点１７Ａを中心に後端側部位５０Ｂが回転する。この場合に、上記のように、面取り部５０Ｈが設けられていると、面取り部５０Ｈが設けられてない構成に比べ、先端側部位５０Ａと後端側部位５０Ｂとの干渉が起こりにくくなり、先端側部位５０Ａに対して後端側部位５０Ｂが回転しやすくなる。
【００８５】
先端側部位５０Ａには、図１７に示すように、タブ５００の外周縁に沿うように配置され、後端側部位５０Ｂ側に端面Ｔ１を有するカール部５０ＡＣが設けられている。
また、後端側部位５０Ｂにも、カール部５０ＢＣが設けられている。このカール部５０ＢＣは、タブ５００の外周縁に沿うように配置され、先端側部位５０Ａのカール部５０ＡＣの端面Ｔ１に対向する端面Ｔ２を備える。
【００８６】
本実施形態では、先端側部位５０Ａのカール部５０ＡＣの端面Ｔ１と、カール部５０ＡＣの外周面Ｇ１とが交わる箇所のうちの、パネル対向面５００Ｂ側に位置する箇所に、面取り部５０Ｈを設けている。
また、後端側部位５０Ｂのカール部５０ＢＣの端面Ｔ２と、カール部５０ＢＣの外周面Ｇ２とが交わる箇所のうちの、パネル対向面５００Ｂ側に位置する箇所に、面取り部５０Ｈを設けている。
【００８７】
なお、本実施形態では、先端側部位５０Ａおよび後端側部位５０Ｂの両方に面取り部５０Ｈを設けたが、一方にのみ面取り部５０Ｈを設けてもよい。
また、面取り部５０Ｈの形成にあたっては、カール部５０ＡＣ、カール部５０ＢＣの縁に対して切削加工を行って面取り部５０Ｈを形成してもよいし、カール部５０ＡＣ、カール部５０ＢＣの縁を押し潰したりカールさせたりするなどして面取り部５０Ｈを形成してもよい。
【００８８】
さらに、本実施形態では、図１７に示すように、先端側部位５０Ａが有する角部のうちの、反対面５００Ａ側且つ後端側部位５０Ｂ側に位置する角部５０Ｋに、面取り部５０Ｈを設けている。
また、後端側部位５０Ｂが有する角部のうちの、反対面５００Ａ側且つ先端側部位５０Ａ側に位置する角部５０Ｐに、面取り部５０Ｈを設けている。
【００８９】
より具体的には、先端側部位５０Ａのカール部５０ＡＣの端面Ｔ１とカール部５０ＡＣの外周面Ｇ１とが交わる箇所のうちの反対面５００Ａ側に位置する箇所に、面取り部５０Ｈを設けている。
また、後端側部位５０Ｂのカール部５０ＢＣの端面Ｔ２とカール部５０ＢＣの外周面Ｇ２とが交わる箇所のうちの反対面５００Ａ側に位置する箇所に、面取り部５０Ｈを設けている。
なお、上記と同様、反対面５００Ａ側の面取り部５０Ｈは、先端側部位５０Ａおよび後端側部位５０Ｂの両方ではなく、一方にのみ設けてもよい。
【００９０】
本実施形態では、図４（Ａ）に示す状態にて、タブ５００の後端側部位５０Ｂとパネル４００との間に指が入れられ、タブ５００の引き起こしが開始される。
この際に、先端側部位５０Ａの反対面５００Ａ側、後端側部位５０Ｂの反対面５００Ａ側に、上記のように面取り部５０Ｈが設けられていると、後端側部位５０Ｂがパネル４００から離れる方向へ移動しやすくなる。そして、この場合、タブ５００の後端側部位５０Ｂとパネル４００との間に指を入れやすくなる。
【００９１】
なお、図１６、図１７にて示した構成例では、カール部５０ＡＣ、カール部５０ＢＣの縁（円筒状の縁）の全周に亘って、面取り部５０Ｈを設けたが、全周に限らず、図１８（タブ５００の他の構成例を示した図）に示すように、パネル対向面５００Ｂ側、反対面５００Ａ側にのみ、面取り部５０Ｈを設けてもよい。
【００９２】
図１９〜２２は、タブ５００の製造工程を示した図である。
まず、図１９を参照し、タブ５００の製造工程の基本形を説明する。
タブ５００の製造にあたっては、図１９（Ａ）に示すように、まず、不図示の板材に対する打ち抜き加工を行い、基材６００を形成する。この際、貫通部５６０、リベット用孔５４０、第１スリット５０Ｌ１、第２スリット５０Ｌ２も合わせて形成する。
【００９３】
次いで、図１９（Ｂ）に示すように、基材６００の外周部６１０に対してカール加工を施す。その後、図１９（Ｂ）、（Ｃ）に示すように、基材６００の外周部６１０を板厚方向に折り曲げる。次いで、図１９（Ｄ）に示すように、折り曲げた外周部６１０に対して、さらにカール加工を施す。
【００９４】
図２０は、本実施形態のタブ５００の製造工程を示した図である。
この工程では、図２０（Ｂ）で示す工程で、上記と同様、基材６００の外周部６１０に対しカール加工を行う。また、図２０（Ｂ）で示す工程では、基材６００のうちの第１スリット５０Ｌ１、第２スリット５０Ｌ２に面する箇所にも、カール加工を施す。
その後、図２０（Ｃ）に示すように、基材６００の外周部６１０を板厚方向に折り曲げ、図２０（Ｄ）に示すように、折り曲げた外周部６１０に対して、さらにカール加工を施す。
【００９５】
図２１で示す他の製造工程では、図２１（Ｂ）で示す工程にて、基材６００のうちの、第１スリット５０Ｌ１、第２スリット５０Ｌ２に面する直線状の部位に対し、圧力を加え、あるいは、切削加工を行って、面取りを行う。
また、図２１（Ｂ）で示す製造工程では、第１スリット５０Ｌ１、第２スリット５０Ｌ２に面する直線状の上記部位と、基材６００の外周部６１０とが交わる箇所に位置する角部に対しても、面取りを行う。
その後、上記と同様、図２１（Ｃ）に示すように、基材６００の外周部６１０を板厚方向に折り曲げ、図２１（Ｄ）に示すように、折り曲げた外周部６１０に対してカール加工を施す。
【００９６】
図２２に示す他の製造工程では、図２２（Ｅ）で示す工程にて、面取り加工を行っている。
具体的には、図２２に示す製造工程では、上記と同様、基材６００の形成（図２２（Ａ）参照）、外周部６１０へのカール加工（図２２（Ｂ）参照）、板厚方向への折り曲げ加工（図２２（Ｃ）参照）、カール加工（図２２（Ｄ）参照）を行う。
次いで、この製造工程では、タブ５００のうちの第１スリット５０Ｌ１、第２スリット５０Ｌ２が形成されている部分に対して、先端が凸型の金型を押し当てる。これにより、面取りが行われる（図２２（Ｅ）参照）。
【００９７】
なお、図２１（Ｂ）にて、第１スリット５０Ｌ１、第２スリット５０Ｌ２に面する直線状の部位と、基材６００の外周部６１０とが交わる箇所に対して面取りを行う処理を説明したが、この交わる箇所に対する面取りは、図１９、図２０、図２２にて示した処理においても行うことができる。
また、図２１にて示した処理と図２２にて示した処理とを組み合わせてもよく、図２１（Ｂ）に示す段階で、第１スリット５０Ｌ１、第２スリット５０Ｌ２に面する直線状の部位に対する面取りを行い、図２２（Ｅ）に示す段階でも、この直線状の部位に対する面取りを行ってもよい。
【００９８】
（その他）
上記では、リベット９００がパネル舌片部４４０に設けられ、パネル舌片部４４０に付随してタブ５００が移動する構成例を説明したが、上記にて説明した各構成は、リベット９００がパネル舌片部４４０の外にある態様（リベット９００が、第１スコア線４３０の外側に位置する態様）にも適用できる。
リベット９００がパネル舌片部４４０の外にある態様においても、本実施形態の構成を採用すれば、タブ５００からパネル４００に対して荷重がより伝わりやすくなり、パネル４００に開口を形成する際のタブ５００の操作荷重をより小さくできる。
【符号の説明】
【００９９】
１７Ａ…回転支点、５０Ａ…先端側部位、５０ＡＣ…カール部、５０Ｂ…後端側部位、５０ＢＣ…カール部、５０Ｆ…角部、５０Ｇ…角部、５０Ｈ…面取り部、５０Ｋ…角部、５０Ｐ…角部、１００…飲料缶、２００…容器本体（缶胴）、３００…缶蓋、４００…パネル、５００…タブ、５００Ａ…反対面、５００Ｂ…パネル対向面、５００Ｃ…カール部、５００Ｋ…曲げ加工部、５００Ｍ…溝、５０５…被操作部、５１０…先端部、５６０…貫通部（タンピアス）、５６０Ａ…一端、５６０Ｂ…他端、５８０…舌片状部位、５８０Ａ…根元、９００…リベット、９１０…頭部、Ｇ１…外周面、Ｇ２…外周面、Ｔ１…端面、Ｔ２…端面
【図１】
0006590717.tif 000002
【図２】
0006590717.tif 000003
【図３】
0006590717.tif 000004
【図４】
0006590717.tif 000005
【図５】
0006590717.tif 000006
【図６】
0006590717.tif 000007
【図７】
0006590717.tif 000008
【図８】
0006590717.tif 000009
【図９】
0006590717.tif 000010
【図１０】
0006590717.tif 000011
【図１１】
0006590717.tif 000012
【図１２】
0006590717.tif 000013
【図１３】
0006590717.tif 000014
【図１４】
0006590717.tif 000015
【図１５】
0006590717.tif 000016
【図１６】
0006590717.tif 000017
【図１７】
0006590717.tif 000018
【図１８】
0006590717.tif 000019
【図１９】
0006590717.tif 000020
【図２０】
0006590717.tif 000021
【図２１】
0006590717.tif 000022
【図２２】
0006590717.tif 000023
【図２３】
0006590717.tif 000024